(57)【要約】【課題】従来のシステムでは、携帯端末等を用いて表示デバイスに表示され表示オブジェクトを編集することはできなかった。【解決手段】本発明の表示情報編集端末は、表示デバイスを撮影して制御対象画像を生成するカメラ部１３と、制御対象画像と操作画面とを表示する表示部１１と、操作を受け付ける入力部１２と、制御対象画像から表示デバイスのデバイス特定情報を抽出する画像処理部１５と、デバイス特定情報に基づきデバイスＩＤを認識するデバイスＩＤ認識部１６と、表示デバイス上の表示オブジェクト情報を入力部１２からの操作に応じて編集して編集後の表示オブジェクト情報を生成する表示オブジェクト情報編集部１７と、デバイスＩＤが認識されたことに応じて表示デバイスに表示オブジェクト情報のリクエスト情報を発行し、入力部１２からの操作に応じて編集後の表示オブジェクト情報を前記表示デバイスに送信する制御部１８と、を有する。【選択図】図３
2012168786.tif 000002
【特許請求の範囲】
【請求項１】
制御対象の表示デバイスを撮影して制御対象画像を生成するカメラ部と、
前記制御対象画像と操作画面とを表示する表示部と、
前記操作画面に対応した操作を受け付ける入力部と、
前記制御対象画像から前記表示デバイスを特定するためのデバイス特定情報を抽出する画像処理部と、
前記デバイス特定情報に基づき前記表示デバイスのデバイスＩＤを認識するデバイスＩＤ認識部と、
前記デバイスＩＤを用いて前記表示デバイスと通信する通信部と、
前記通信部を介して入力される前記表示デバイス上に表示される表示オブジェクトの表示オブジェクト情報を前記入力部により入力された操作に応じて編集し、編集後の表示オブジェクト情報を生成する表示オブジェクト情報編集部と、
前記デバイスＩＤが認識されたことに応じて前記表示デバイスに前記表示オブジェクト情報のリクエスト情報を前記通信部を介して発行し、前記入力部を介して入力される操作に応じて前記編集後の表示オブジェクト情報を前記通信部を介して前記表示デバイスに送信する制御部と、
を有する表示情報編集端末。
【請求項２】
前記デバイスＩＤは、前記表示デバイスの表示部と前記表示デバイスの表示部の周辺部とのいずれかに表示される請求項１に記載の表示情報編集端末。
【請求項３】
前記表示オブジェクト情報は、表示位置情報と表示コンテンツ情報を含み、
前記画像処理部は、前記表示位置情報と前記表示コンテンツ情報との少なくとも一つを編集する請求項１又は２に記載の表示情報編集端末。
【請求項４】
前記表示デバイスは、第１の表示デバイスと第２の表示デバイスとを含み、
前記デバイスＩＤ認識部は、前記第１の表示デバイスを特定する第１のデバイスＩＤと、前記第２の表示デバイスを特定する第２のデバイスＩＤと、を認識し、
前記制御部は、前記第１の表示デバイスに対して前記表示オブジェクト情報のリクエスト情報を発行し、前記第２の表示デバイスに編集後の前記表示オブジェクト情報を送信する請求項１乃至３のいずれか１項に記載の表示情報編集端末。
【請求項５】
前記表示デバイスは、第１の表示デバイスと第２の表示デバイスとを含み、
前記第２の表示デバイスは、前記第１の表示デバイスにより表示部の表示内容が制御され、
前記デバイスＩＤ認識部は、前記第１の表示デバイスを特定する第１のデバイスＩＤを認識し、
前記制御部は、前記第１の表示デバイスに対して前記表示オブジェクト情報を発行し、前記第１の表示デバイスに前記第２の表示デバイス上に表示させる前記表示オブジェクトの前記表示オブジェクト情報を送信する請求項１乃至３のいずれか１項に記載の表示情報編集端末。
【請求項６】
制御対象の表示デバイスを撮影して制御対象画像を生成するカメラ部と、前記制御対象画像と操作画面とを表示する表示部と、前記操作画面に対応した操作を受け付ける入力部と、前記表示デバイスと通信する通信部と、演算部とを備える表示情報編集端末において、前記演算部で実行され前記表示デバイス上に表示される表示オブジェクトの表示オブジェクト情報を編集する表示情報編集プログラムであって、
前記制御対象画像を読み込み、前記制御対象画像から前記表示デバイスを特定するためのデバイス特定情報を抽出し、
前記デバイス特定情報に基づき前記表示デバイスのデバイスＩＤを認識し、
前記デバイスＩＤが認識されたことに応じて前記表示デバイスに前記表示オブジェクト情報のリクエスト情報を前記通信部を介して発行し、
前記通信部を介して入力される前記表示オブジェクト情報を前記入力部により入力された操作に応じて編集し、
編集後の表示オブジェクト情報を生成し、
前記入力部を介して入力される操作に応じて前記編集後の表示オブジェクト情報を前記通信部を介して前記表示デバイスに送信する表示情報編集プログラム。
【請求項７】
表示情報編集端末を用いて制御対象の表示デバイスに表示される表示オブジェクト情報を編集する表示情報編集システムであって、
前記表示情報編集端末は、
前記表示デバイスを撮影して制御対象画像を生成するカメラ部と、
前記制御対象画像と操作画面とを表示する表示部と、
前記操作画面に対応した操作を受け付ける入力部と、
前記制御対象画像から前記表示デバイスを特定するためのデバイス特定情報を抽出する画像処理部と、
前記デバイス特定情報に基づき前記表示デバイスのデバイスＩＤを認識するデバイスＩＤ認識部と、
前記デバイスＩＤを用いて前記表示デバイスと通信する通信部と、
前記通信部を介して入力される前記表示デバイス上に表示される表示オブジェクトの表示オブジェクト情報を前記入力部により入力された操作に応じて編集し、編集後の表示オブジェクト情報を生成する表示オブジェクト情報編集部と、
前記デバイスＩＤが認識されたことに応じて前記表示デバイスに前記表示オブジェクト情報のリクエスト情報を前記通信部を介して発行し、前記入力部を介して入力される操作に応じて前記編集後の表示オブジェクト情報を前記通信部を介して前記表示デバイスに送信する制御部と、を有し、
前記表示デバイスは、
前記表示情報編集端末と通信を行う通信部と、
前記表示オブジェクトを表示する表示部と、
前記表示オブジェクト情報に基づき前記表示オブジェクトを前記表示部に表示する表示制御部と、
を有する表示情報編集システム。
【発明の詳細な説明】
【技術分野】
【０００１】
本発明は表示情報編集端末、表示情報編集プログラム及び表示情報編集システムに関し、特に表示デバイスに表示される表示オブジェクトを編集する表示情報編集端末、表示情報編集プログラム及び表示情報編集システムに関する。
【背景技術】
【０００２】
近年、携帯端末を利用した様々な応用事例が提案されている。このような応用事例の一つとして特許文献１には、携帯端末のカメラにより取得された画像に関連する関連情報を表示する情報検索装置が開示されている。より詳細には、情報検索装置は、携帯端末に設けられたカメラにより画像を取得し、当該画像に含まれる情報のうち関連情報を得たい領域を指定し、指定した領域に関連する情報を携帯端末内のメモリから検索して、画面上に表示する。また、情報検索装置は、指定した領域に関連する情報が携帯端末内のメモリからは検索できなかった場合には、外部の関連情報管理装置と通信して関連情報を取得して、画面上に表示する。
【０００３】
また、別の応用事例が特許文献２に開示されている。特許文献２には、一方の機器で他方の機器を遠隔操作する遠隔操作システムが開示されている。より具体的には、遠隔操作システムでは、一方の機器が他方の機器の近傍に置かれ、又は、一方の装置が他方の装置に向けられたことに応じて２つの機器間の通信を確立する。そして、遠隔操作システムでは、当該通信により一方の機器に他方の機器の操作情報を送信し、当該操作情報に基づき一方の機器により他方の機器を操作する。
【先行技術文献】
【特許文献】
【０００４】
【特許文献１】特開２００７−０１８１６６号公報
【特許文献２】特許第４３６３１８５号
【発明の概要】
【発明が解決しようとする課題】
【０００５】
このように、携帯端末を利用した応用事例は様々であるが、いずれの応用事例においても携帯端末上で認識した表示内容をもとに、表示デバイス上に表示されている表示内容を編集することはできない。
【課題を解決するための手段】
【０００６】
本発明にかかる表示情報編集端末の一態様は、制御対象の表示デバイスを撮影して制御対象画像を生成するカメラ部と、前記制御対象画像と操作画面とを表示する表示部と、前記操作画面に対応した操作を受け付ける入力部と、前記制御対象画像から前記表示デバイスを特定するためのデバイス特定情報を抽出する画像処理部と、前記デバイス特定情報に基づき前記表示デバイスのデバイスＩＤを認識するデバイスＩＤ認識部と、前記デバイスＩＤを用いて前記表示デバイスと通信する通信部と、前記通信部を介して入力される前記表示デバイス上に表示される表示オブジェクトの表示オブジェクト情報を前記入力部により入力された操作に応じて編集し、編集後の表示オブジェクト情報を生成する表示オブジェクト情報編集部と、前記デバイスＩＤが認識されたことに応じて前記表示デバイスに前記表示オブジェクト情報のリクエスト情報を前記通信部を介して発行し、前記入力部を介して入力される操作に応じて前記編集後の表示オブジェクト情報を前記通信部を介して前記表示デバイスに送信する制御部と、を有する。
【０００７】
本発明にかかる表示情報編集プログラムは、制御対象の表示デバイスを撮影して制御対象画像を生成するカメラ部と、前記制御対象画像と操作画面とを表示する表示部と、前記操作画面に対応した操作を受け付ける入力部と、前記表示デバイスと通信する通信部と、演算部とを備える表示情報編集端末において、前記演算部で実行され前記表示デバイス上に表示される表示オブジェクトの表示オブジェクト情報を編集する表示情報編集プログラムであって、前記制御対象画像を読み込み、前記制御対象画像から前記表示デバイスを特定するためのデバイス特定情報を抽出し、前記デバイス特定情報に基づき前記表示デバイスのデバイスＩＤを認識し、前記デバイスＩＤが認識されたことに応じて前記表示デバイスに前記表示オブジェクト情報のリクエスト情報を前記通信部を介して発行し、前記通信部を介して入力される前記表示オブジェクト情報を前記入力部により入力された操作に応じて編集し、編集後の表示オブジェクト情報を生成し、前記入力部を介して入力される操作に応じて前記編集後の表示オブジェクト情報を前記通信部を介して前記表示デバイスに送信する。
【０００８】
本発明にかかる表示情報編集システムは、表示情報編集端末を用いて制御対象の表示デバイスに表示される表示オブジェクト情報を編集する表示情報編集システムであって、前記表示情報編集端末は、前記表示デバイスを撮影して制御対象画像を生成するカメラ部と、前記制御対象画像と操作画面とを表示する表示部と、前記操作画面に対応した操作を受け付ける入力部と、前記制御対象画像から前記表示デバイスを特定するためのデバイス特定情報を抽出する画像処理部と、前記デバイス特定情報に基づき前記表示デバイスのデバイスＩＤを認識するデバイスＩＤ認識部と、前記デバイスＩＤを用いて前記表示デバイスと通信する通信部と、前記通信部を介して入力される前記表示デバイス上に表示される表示オブジェクトの表示オブジェクト情報を前記入力部により入力された操作に応じて編集し、編集後の表示オブジェクト情報を生成する表示オブジェクト情報編集部と、前記デバイスＩＤが認識されたことに応じて前記表示デバイスに前記表示オブジェクト情報のリクエスト情報を前記通信部を介して発行し、前記入力部を介して入力される操作に応じて前記編集後の表示オブジェクト情報を前記通信部を介して前記表示デバイスに送信する制御部と、を有し、前記表示デバイスは、前記表示情報編集端末と通信を行う通信部と、前記表示オブジェクトを表示する表示部と、前記表示オブジェクト情報に基づき前記表示オブジェクトを前記表示部に表示する表示制御部と、を有する。
【発明の効果】
【０００９】
本発明にかかる表示情報編集端末、表示情報編集プログラム及び表示情報編集システムによれば、携帯端末上で認識した表示内容をもとに、表示デバイス上に表示されている表示内容を編集することができる。
【図面の簡単な説明】
【００１０】
【図１】実施の形態１にかかる表示情報編集システムの概略図である。
【図２】実施の形態１にかかる表示情報編集端末の背面を示す概略図である。
【図３】実施の形態１にかかる表示情報編集端末のブロック図である。
【図４】実施の形態１にかかる表示デバイスのブロック図である。
【図５】実施の形態１にかかる表示情報編集システムの動作を示すフローチャートである。
【図６】実施の形態１にかかる表示情報編集システムにおけるデバイスＩＤ認識時の動作状態を示す概略図である。
【図７】実施の形態１にかかる表示情報編集システムの動作を示すシーケンス図である。
【図８】実施の形態１にかかる表示情報編集システムにおける表示オブジェクトの生成手順を示すフローチャートである。
【図９】実施の形態２にかかる表示情報編集システムの概略図である。
【図１０】実施の形態２にかかる表示情報編集システムの動作を示すフローチャートである。
【図１１】実施の形態３にかかる表示情報編集システムの概略図である。
【発明を実施するための形態】
【００１１】
実施の形態１
以下、図面を参照して本発明の実施の形態について説明する。本発明では、表示オブジェクトを表示する表示デバイスを制御対象とし、制御端末として表示情報編集端末を用いる。以下の説明では、表示デバイスとして壁面に設置されるフラットディスプレイを用い、表示情報編集端末としてカメラを搭載した携帯電話を用いる。しかし、表示情報編集端末は、携帯電話に限らず、カメラを搭載した端末であれば良く、例えば、表示オブジェクトの内容を編集可能な専用端末であっても良い。
【００１２】
また、以下の説明では、表示情報編集端末で行われる処理を専用の回路にて処理する例について説明するが、この処理は表示情報編集端末のＣＰＵ（Central Processing Unit）にプログラムを実行させることにより実現することも可能である。この場合、プログラムは、記録媒体に記録して提供することも可能であり、また、インターネットその他の通信媒体を介して伝送することにより提供することも可能である。また、記憶媒体には、例えば、フレキシブルディスク、ハードディスク、磁気ディスク、光磁気ディスク、ＣＤ−ＲＯＭ、ＤＶＤ、ＲＯＭカートリッジ、バッテリバックアップ付きＲＡＭメモリカートリッジ、フラッシュメモリカートリッジ、不揮発性ＲＡＭカートリッジ等が含まれる。また、通信媒体には、電話回線等の有線通信媒体、マイクロ波回線等の無線通信媒体等が含まれる。
【００１３】
まず、図１に実施の形態１にかかる表示情報編集システムの概略図を示す。図１に示すように、表示情報編集システムは表示情報編集端末１、表示デバイス２を有する。
【００１４】
表示情報編集端末１は、例えば、携帯電話であって、利用者と対面する表面部に表示部１１、入力部１２を有する。表示部１１には、操作に用いられる操作画面（例えば、ＧＵＩ（Graphical User Interface））と表示デバイス２を撮影して得られる制御対象画像１０が表示される。なお、図１に示す例では、表示デバイス２に表示オブジェクトＯＢＪが表示されているため、制御対象画像１０にも表示オブジェクトＯＢＪが含まれている。入力部１２は、利用者が表示情報編集端末１に操作指示を与える入力装置である。入力部１２には複数のボタンが設けられている。つまり、利用者は、入力部１２を用いて操作画面に対応した操作を受け付ける。この表示情報編集端末１は、無線通信（例えば、無線ＬＡＮ等）により表示デバイス２と通信可能である。また、図２に表示情報編集端末１の背面部の概略図を示す。図２に示すように、表示情報編集端末１はカメラ部１３を有する。表示情報編集端末１は、このカメラ部１３により表示デバイスを撮影して制御対象画像を生成する。
【００１５】
表示デバイス２は、表示部２１を有する。表示部２１は、表示オブジェクトＯＢＪを表示する。表示オブジェクトは、例えば広告等であって画像とテキスト情報とを含む。また、表示デバイス２は、無線通信により表示情報編集端末１と通信可能である。
【００１６】
ここで、表示情報編集端末１と表示デバイス２とについてより詳細に説明する。まず、図３に表示情報編集端末１のブロック図を示す。図３に示すように、表示情報編集端末１は、表示部１１、入力部１２、カメラ部１３、通信部１４、画像処理部１５、デバイスＩＤ認識部１６、表示オブジェクト情報編集部１７、制御部１８を有する。なお、表示情報編集端末１で行われる処理は、画像処理部１５、デバイスＩＤ認識部１６、表示オブジェクト情報編集部１７、制御部１８で行われる処理をＣＰＵ１９で実行されるプログラムにより実現することもできる。
【００１７】
表示部１１は、カメラ部１３で生成された制御対象画像１０と操作画面とを表示する。入力部１２は、利用者が操作画面に対応した操作を受け付ける入力インタフェースである。カメラ部１３は、制御対象の表示デバイスを撮影して制御対象画像１０を生成する。
【００１８】
画像処理部１５は、制御対象画像１０から表示デバイス２を特定するためのデバイス特定情報を抽出する。このデバイス特定情報は、例えばテキスト情報、ＱＲコード、画像等である。セキュリティレベルを向上させる観点から、デバイス特定情報は、ＱＲコード、画像が好ましいが、以下の説明では、理解の容易さを優先してデバイス特定情報としてテキスト情報を用いる。つまり、本実施の形態では、画像処理部１５は、制御対象画像１０からデバイス特定情報として用いられるテキスト情報を抽出する。
【００１９】
デバイスＩＤ認識部１６は、デバイス特定情報に基づき表示デバイス２のデバイスＩＤを認識する。このデバイスＩＤは、例えば通信に無線ＬＡＮを利用する場合にはＩＰアドレス等が考えられる。
【００２０】
通信部１４は、デバイスＩＤを用いて表示デバイス２と通信する。なお、通信部１４は、通信において電波の送受信を行うアンテナＡＮＴを有する。
【００２１】
表示オブジェクト情報編集部は、通信部１４を介して入力される表示デバイス２上に表示される表示オブジェクトＯＢＪの表示オブジェクト情報を入力部１２により入力された操作に応じて編集し、編集後の表示オブジェクト情報を生成する。表示オブジェクト情報は、例えば、表示オブジェクトの表示デバイス２上の表示位置情報と表示コンテンツ情報（例えば、画像、テキスト情報等）を含む。そして、表示オブジェクト情報編集部１７は、表示位置情報と表示コンテンツ情報との少なくとも一つを編集する。
【００２２】
制御部１８は、デバイスＩＤが認識されたことに応じて表示デバイス２に表示オブジェクト情報のリクエスト情報（例えば、表示デバイス確定情報）を通信部１４を介して発行する。また、制御部１８は、入力部１２を介して入力される操作に応じて編集後の表示オブジェクト情報を通信部１４を介して表示デバイス２に送信する。なお、制御部１８は、上記処理以外で行われるブロック間のデータ送受信も制御するものとする。
【００２３】
次に、図４に表示デバイス２のブロック図を示す。図４に示すように、表示デバイス２は、表示部２１、表示制御部２２、通信部２３を有する。表示部２１は、表示オブジェクトを表示する。表示制御部２２は、表示オブジェクト情報に基づき表示オブジェクトを表示部２１に表示する。この表示制御部２２は、表示オブジェクト情報が更新された場合、又は、表示オブジェクト情報が追加された場合に保持している表示オブジェクト情報に基づき表示部２１の表示内容を更新する。通信部２３は、表示情報編集端末１と通信を行う。
【００２４】
続いて、表示情報編集システムの動作について説明する。図５に表示情報編集システムの動作を示すフローチャートを示す。図５に示すように、表示情報編集システムでは、まず、表示デバイス２においてデバイスＩＤを表示する（ステップＳ１）。このデバイスＩＤの表示は、利用者が表示デバイス２を直接操作することで表示させることもできるし、予め表示部２１又は表示デバイスの周辺部に記載しても良い。本実施の形態では、デバイスＩＤは、表示デバイス２を利用者が直接操作することで表示部２１に表示されるものとする。
【００２５】
次いで、表示情報編集端末１において、表示デバイス２のデバイスＩＤを認識する（ステップＳ２）。このステップＳ２の処理を具体的に説明するために、図６に表示情報編集システムにおけるデバイスＩＤ認識時の動作状態を示す概略図を示す。図６に示すように、デバイスＩＤ認識処理では、表示情報編集端末１のカメラ部１３を用いて表示デバイス２を撮影する。カメラ部１３により撮影された制御対象画像１０は、表示情報編集端末の表示部１１に表示される。またこのとき、制御対象画像１０を画像処理部１５に読み込まれる。そして、表示部１１に表示された制御対象画像１０からデバイスＩＤが表示されている領域を選択し、デバイスＩＤを認識すべき画像領域を確定する。続いて、画像処理部１５は、制御対象画像１０を解析し、制御対象画像１０に現れたデバイス特定情報を抽出する。本実施の形態における抽出処理では、デバイス特定情報としてテキスト情報（図６の例では、ＡＢＣ−１２３４）が抽出される。
【００２６】
次いで、表示情報編集端末１において、表示デバイスのデバイスＩＤの確定処理が行われる（ステップＳ３）。ステップＳ３の処理では、表示情報編集端末１のデバイスＩＤ認識部１６においてデバイス特定情報を読み込む。そして、表示情報編集端末１は、当該デバイス特定情報に基づきデバイスＩＤを認識する。
【００２７】
次いで、表示デバイスのデバイスＩＤの確定情報を表示情報編集端末１から表示デバイス２に送信する（ステップＳ４）。より具体的には、ステップＳ３でデバイスＩＤが認識されたことに応じて制御部１８が表示デバイス２に表示オブジェクト情報のリクエスト情報（デバイスＩＤ確定情報）を通信部１４を介して発行する。また、制御部１８は、デバイスＩＤ確定情報を送信する際にデバイスＩＤを用いる。つまり、制御部１８は、デバイスＩＤと共にデバイスＩＤ確定情報を送信する。
【００２８】
次いで、表示デバイス２において表示制御編集端末１を認識する（ステップＳ５）。より具体的には、ステップＳ５では、表示デバイス２が通信部２３を介して自信のデバイスＩＤ受信したことに応じて、デバイス確定情報を読み込むことで自信が制御対象のデバイスとして指定されたことを認識する。なお、ステップＳ１〜Ｓ５の処理を以降では表示デバイスの認識処理と称す。
【００２９】
次いで、表示デバイス２において表示情報編集端末１に現時点で表示部２１に表示されている表示オブジェクトの表示オブジェクト情報を送信する（ステップＳ６）。具体的には、ステップＳ６では、表示デバイス２の表示制御部２２が保持している表示オブジェクト情報を自身のデバイスＩＤと共に通信部２３を介して表示情報編集端末１に送信する。
【００３０】
次いで、表示情報編集端末１において表示オブジェクト情報を表示する（ステップＳ７）。具体的には、ステップＳ７では、制御部１８が表示オブジェクト情報に基づき表示部１１に表示されている制御対象画像上に表示オブジェクトＯＢＪを表示する（ステップＳ７）。
【００３１】
次いで、表示情報編集端末１において表示オブジェクト情報を編集する（ステップＳ８）。具体的には、ステップＳ８では、利用者が表示部１１に表示されたＧＵＩと入力部１２とを用いて表示部１１に表示された表示オブジェクトＯＢＪの表示位置や表示オブジェクトの内容（例えば、形状、模様、テキスト）を変更する。そして、当該変更後の表示オブジェクトに対応した編集後の表示オブジェクト情報を表示オブジェクト情報編集部１７が生成する。
【００３２】
次いで、表示情報編集端末１から表示デバイス２に編集後の表示オブジェクト情報を送信する（ステップＳ９）。具体的には、ステップＳ９では、表示情報編集端末１が入力部１２を介して入力される操作に応じて編集後の表示オブジェクト情報を通信部１４を介して表示デバイス２に送信する。なお、編集後の表示オブジェクト情報を送信する際にもデバイスＩＤが送信される。
【００３３】
次いで、表示デバイス２において受信した編集後の表示オブジェクト情報に基づき表示部２１に表示される表示オブジェクトが更新される（ステップＳ１０）。具体的には、表示デバイス２は、表示情報編集端末１から送信された自身のデバイスＩＤにより自身宛ての通信要求があることを認識し、編集後の表示オブジェクト情報を受信する。そして、表示デバイス２の表示制御部２２が受信した編集後の表示オブジェクト情報により保持している表示オブジェクト情報を更新し、当該更新結果を表示部２１に反映する。
【００３４】
ここで、本実施の形態で行われる表示情報編集端末１と表示デバイス２との間の通信で用いられるデータについての補足説明をする。当該説明のために、図７に実施の形態１にかかる表示情報編集システムの動作を示すシーケンス図を示す。図７に示すように、ステップＳ１の処理が終了すると、表示情報編集端末１のカメラ部１３の撮影動作によりデバイスＩＤの情報が表示デバイス２から表示情報編集端末１に伝えられる。次いで、ステップＳ２〜Ｓ４の処理が完了すると、表示情報編集端末１から表示デバイス２にデバイスＩＤとデバイス確定情報とが送信される。次いで、ステップＳ５〜Ｓ６の処理が完了すると表示デバイス２から表示情報編集端末１へデバイスＩＤと表示オブジェクト情報が送信される。次いで、ステップＳ７〜Ｓ９の処理が完了すると表示情報編集端末１から表示デバイス２へデバイスＩＤと編集後の表示オブジェクト情報が送信される。
【００３５】
上記説明では、表示デバイス２に表示オブジェクトが表示されている場合に、当該表示オブジェクトを編集するための処理を説明した。しかし、実施の形態１にかかる表示情報編集システムでは、表示デバイス２に表示オブジェクトを新規に表示させることも可能である。そこで、以下では表示デバイス２に新規な表示オブジェクトを表示させるための手順にてついて説明する。そこで、図８に実施の形態１にかかる表示情報編集システムにおける表示オブジェクトの生成手順を示すフローチャートを示す。
【００３６】
図８に示すように、表示オブジェクトを新規に表示させる場合においても表示デバイスの認識処理（ステップＳ１１）が行われる。このステップＳ１１の処理は、図５で説明したステップＳ１〜Ｓ５の処理に相当する処理である。
【００３７】
次いで、表示情報編集端末１が表示デバイス２の情報を取得する（ステップＳ１２）。この表示デバイス２の情報は、例えば、表示デバイス２の表示部２１の縦の画素数と横の画素数の情報である。ステップＳ１２の具体的処理は、表示デバイス２が表示オブジェクト情報を保持していない場合には、表示オブジェクト情報に代えて自身の表示部２１の縦画素数と横画素数の情報を送信することで行われる。
【００３８】
次いで、表示情報編集端末１において表示オブジェクトの生成が行われる（ステップＳ１３）。具体的には、表示部１１に表示されたＧＵＩと入力部１２とを用いて利用者が表示オブジェクトを生成する。この表示オブジェクトは、表示情報編集端末１上で描かれるものでも良く、予め表示情報編集端末１に保持された画像から生成しても良く、表示情報編集端末１とネットワークで接続されたサーバーから読み出して生成しても良い。また、ステップＳ１３では、表示オブジェクトを表示する位置が決定される。このように編集された表示オブジェクトに基づき表示情報編集端末１の表示オブジェクト情報編集部１７では、表示オブジェクト情報を生成する。
【００３９】
次いで、表示情報編集端末１から表示デバイス２への表示オブジェクト情報の送信処理が行われる（ステップＳ１４）。ステップＳ１４では、表示情報編集端末１は、表示デバイス２のデバイスＩＤと共に編集後の表示オブジェクト情報を通信部１４を介して送信する。
【００４０】
次いで、表示デバイス２は表示オブジェクト情報を受信する（ステップＳ１５）。具体的には、表示デバイス２は、自身のデバイスＩＤを受信することで、通信を開始し、送信された表示デバイス情報を受信する。
【００４１】
次いで、表示デバイス２は、受信した表示オブジェクト情報に基づき表示部２１に表示オブジェクトを表示する（ステップＳ１６）。具体的には、表示デバイス２の表示制御部２２が受信した表示オブジェクト情報を格納領域に格納し、当該表示オブジェクト情報に基づき表示部２１に表示オブジェクトを表示する。
【００４２】
上記説明より、実施の形態１にかかる表示編集システムによれば、表示情報編集端末１が表示デバイス２に表示されたデバイスＩＤ情報に基づき表示デバイス２と通信可能になることで、表示デバイス２に表示される表示オブジェクト情報の送受信が可能になる。そして、表示情報編集端末１が表示オブジェクト情報の編集機能を有することで、表示デバイス２に表示する表示オブジェクトの編集が可能である。このような、表示情報編集システムを用いることで、携帯端末上で認識した表示内容をもとに、表示デバイス上に表示されている表示内容を編集することができる。
【００４３】
近年、デジタルサイネージ、あるいは、電子掲示板が多数提案されているが、これらの表示デバイスは、表示内容を更新するために表示デバイスと接続された専用制御端末が必要であった。これにより、従来の表示デバイスは、設置位置が専用制御端末の制御可能な範囲に限定される問題があった。
【００４４】
しかし、実施の形態１にかかる表示情報編集システムでは、携帯端末により表示内容を更新できるため、表示デバイスを制御するための専用制御端末の制限を受けることなく表示デバイスを設置できる。
【００４５】
また、従来の表示デバイスでは、表示デバイスの種類（例えば、液晶ディスプレイ、プロジェクタ）毎に制御端末を設ける必要があった。しかし、実施の形態１にかかる表示情報編集システムでは、表示デバイスが自身を特定するデバイスＩＤを表示することで、表示情報編集端末と通信可能になる。そのため、表示デバイスの種類によらず表示デバイスの表示オブジェクトを編集することが可能になり、システムの簡素化が可能になる。また、表示デバイスと表示情報編集端末とが、汎用的な通信手段により通信が可能な構成とすれば、システムをさらに簡素化することができる。
【００４６】
また、従来の表示デバイスでは、実際の表示状態を確認しながら表示内容を編集することは困難であった。しかし、実施の形態１にかかる表示情報編集システムでは、表示デバイスを視認しながら表示オブジェクトの位置を決定できる。これにより、制御対象の表示デバイス内のみの表示状態だけでなく、周囲の環境を考慮した表示オブジェクトの配置が可能になる。
【００４７】
実施の形態２
実施の形態２にかかる表示情報編集システムの概略図を図９に示す。図９に示す表示情報編集システムでは、実施の形態１にかかる表示情報編集システムに加えて表示デバイス３が追加されている。この表示デバイス３は、表示デバイス２と同じ構成を有している。表示デバイス３の表示部には３１の符号を付した。また、表示デバイス３の構成は表示デバイス２と実質的に同じであるため説明を省略する。
【００４８】
実施の形態２にかかる表示情報編集システムでは、表示情報編集端末１を用いて表示デバイス２に表示されている表示オブジェクトＯＢＪを表示デバイス３に移動する。そこで、以下では、表示情報編集端末１を用いて表示オブジェクトＯＢＪを表示デバイス間で移動させるための手順について説明する。
【００４９】
図１０に実施の形態２にかかる表示情報編集システムの動作を示すフローチャートを示す。図１０に示すように、実施の形態２にかかる表示情報編集システムでは、第１の表示デバイス（例えば、表示デバイス２）と表示情報編集端末１との間で認識処理を行う（ステップＳ２１）。このステップＳ２１は、図５のステップＳ１〜Ｓ５の処理に相当する処理である。
【００５０】
次いで、第１の表示デバイスから表示情報編集端末１へ表示オブジェクト情報が送信される（ステップＳ２２）。ステップＳ２２の処理は、図５のステップＳ６の処理に相当する処理である。続いて、表示情報編集端末１では、受信した表示オブジェクト情報を表示する（ステップＳ２３）。ステップＳ２３の処理は、図５のステップＳ７の処理に相当する処理である。続いて、表示情報編集端末１では、表示した表示オブジェクト情報の編集を行う（ステップＳ２４）。ステップＳ２４の処理は、図５のステップＳ７の処理に相当する処理であるが、表示位置については、表示オブジェクト情報の転送先である表示デバイス３上のものである。
【００５１】
次いで、第２の表示デバイス（例えば、表示デバイス３）と表示情報編集端末１との間で認識処理を行う（ステップＳ２５）。このステップＳ２５は、図５のステップＳ１〜Ｓ５の処理に相当する処理である。
【００５２】
次いで、表示情報編集端末１から第２の表示デバイスへ編集後の表示オブジェクト情報を送信する（ステップＳ２６）。ステップＳ２６の処理は、表示オブジェクト情報の送信先を第２の表示デバイスとして図５のステップＳ９の処理に相当する処理を行うものである。続いて、第２の表示デバイスは、受信した表示オブジェクト情報に基づき表示部３１に表示オブジェクトを表示する（ステップＳ２７）。ステップＳ２７の処理は、第２の表示デバイス上で図５のステップＳ１０の処理に相当する処理を行うものである。
【００５３】
上記説明より、実施の形態２にかかる表示情報処理システムでは、異なる表示デバイス間で表示オブジェクト情報を移動することができる。このとき、実施の形態２にかかる表示情報編集システムでは、表示デバイス２、３がデバイスＩＤを表示する機能を有するだけで、互いに通信可能な状態でなくても表示オブジェクト情報を移動可能であるという大きな効果を奏する。
【００５４】
例えば、表示デバイス２、３が通路を挟んで設置されている場合、あるいは、表示デバイス２、３が異なる建物に設定されている場合、従来は、異なる制御端末により制御されていることが通常である。このような場合、表示オブジェクトを表示デバイス間で移動することは非常に困難である。しかし、実施の形態２にかかる表示情報編集システムでは、２つの表示デバイスがそれぞれ表示情報編集端末１を介して表示オブジェクトを移動できる。つまり、実施の形態２にかかる表示情報編集システムでは、互いに独立したシステムとして設置された表示デバイス間においても表示オブジェクトを移動できるため、表示オブジェクトの表示位置の自由度を格段に向上させることができる。
【００５５】
実施の形態３
実施の形態３にかかる表示情報編集システムの概略図を図１１に示す。図１１に示すように、実施の形態３にかかる表示情報編集システムでは、第１、第２の表示デバイス（例えば、表示デバイス４、５）を有する。表示デバイス４は表示部４１を有し、表示デバイス５は表示部５１を有する。そして、表示デバイス５は、表示デバイス４により表示部５１が制御される。つまり、表示デバイス４がマスターとして動作し、表示デバイス５がスレーブとして動作することで、２つの表示デバイスが一つの表示デバイスとしてき機能する。
【００５６】
なお、マスターとして動作する表示デバイスは、スレーブとして動作する表示デバイスよりもメモリ搭載量が大きい、あるいは、処理能力が高い等、性能的に優位にあるデバイスであることが好ましい。
【００５７】
このような場合、表示情報編集端末１は、マスターとして動作する表示デバイス４と通信を行うことで、直接通信を行っていない表示デバイス５の表示部５１の表示オブジェクトＯＢＪを編集することができる。なお、この場合、表示情報編集端末１は、表示デバイス４との間において図５で説明した動作を行う。
【００５８】
上記説明より、実施の形態３にかかる表示情報編集システムでは、表示デバイス間が通信可能である場合には、表示情報編集端末が一つの表示デバイスと通信を行うことで、スレーブ動作する表示デバイスの表示オブジェクトを編集できる。
【００５９】
なお、本発明は上記実施の形態に限られたものではなく、趣旨を逸脱しない範囲で適宜変更することが可能である。
【００６０】
その他の実施の形態
（付記１）
表示情報編集端末を用いて制御対象の表示デバイスに表示される表示オブジェクト情報を編集する表示情報編集方法であって、
前記表示情報編集端末は、
前記表示デバイスに表示されるデバイスＩＤにより前記表示デバイスを認識し、
前記デバイスＩＤを用いた通信により前記表示デバイスから前記表示オブジェクト情報を取得し、
受信した前記表示オブジェクト情報を編集した編集後の表示オブジェクト情報を生成し、
前記デバイスＩＤを用いた通信により前記編集後の表示オブジェクト情報を前記表示デバイスに送信し、
前記表示デバイスは、受信した前記編集後の表示オブジェクト情報に基づき表示オブジェクトを表示する表示情報編集方法。
【符号の説明】
【００６１】
１    表示情報編集端末
２〜５    表示デバイス
１０    制御対象画像
１１    表示部
１２    入力部
１３    カメラ部
１４    通信部
１５    画像処理部
１６    デバイスＩＤ認識部
１７    表示オブジェクト情報編集部
１８    制御部
２１、３１、４１、５１    表示部
２２    表示制御部
２３    通信部
ＯＢＪ    表示オブジェクト
【図１】
2012168786.tif 000003
【図２】
2012168786.tif 000004
【図３】
2012168786.tif 000005
【図４】
2012168786.tif 000006
【図５】
2012168786.tif 000007
【図６】
2012168786.tif 000008
【図７】
2012168786.tif 000009
【図８】
2012168786.tif 000010
【図９】
2012168786.tif 000011
【図１０】
2012168786.tif 000012
【図１１】
2012168786.tif 000013